(57)【要約】【課題】ドラグ調節体の脱落を好適に防止し、ドラグ機構をなす制動部材の防塵、防水を図る。【解決手段】スプール３またはドラグ調節体２０の一方の側から他方の側へ向けて突設され、スプール３とドラグ調節体２０との間に形成される空間を塞ぐようにして、先端周部３３が他方の側の対向面に摺接される弾性変形可能な防水シール部材３０と、他方の側の対向面から一方の側へ向けて突設され、防水シール部材３０の先端周部３３が係脱可能に係止される係止突部２４と、を備え、防水シール部材３０の先端周部３３は、スプール軸９に対するドラグ調節体２０の螺合を解除した状態で、係止突部２４に係止可能である構成とした。【選択図】図２
2011135847.tif 000002
【特許請求の範囲】
【請求項１】
リール本体に前後動可能に支持されたスプール軸に取り付けられ、ドラグ機構をなす制動部材を内側に収容可能な円筒状のスプールと、前記スプール軸の先端に螺合され、螺合による締め付け力により前記制動部材に当接して当該制動部材の摩擦結合力を調整可能とするドラグ調節体と、を備えた魚釣用スピニングリールにおいて、
前記スプールまたは前記ドラグ調節体の一方の側から他方の側へ向けて突設され、前記スプールと前記ドラグ調節体との間に形成される空間を塞ぐようにして、先端周部が前記他方の側の対向面に摺接される弾性変形可能な防水シール部材と、
前記他方の側の対向面から前記一方の側へ向けて突設され、前記防水シール部材の前記先端周部が係脱可能に係止される係止突部と、を備え、
前記防水シール部材の前記先端周部は、前記スプール軸に対する前記ドラグ調節体の螺合を解除した状態で、前記係止突部に係止可能であることを特徴とする魚釣用スピニングリール。
【請求項２】
前記防水シール部材は、前記スプール側から前記ドラグ調節体側へ向けて突設されており、前記先端周部が前記ドラグ調節体の対向面に摺接されることを特徴とする請求項１に記載の魚釣用スピニングリール。
【請求項３】
前記スプール軸に前記ドラグ調節体を螺合した状態において、
前記スプール軸と前記ドラグ調節体との螺合可能な長さをＬｎとし、
前記他方の側の対向面における前記先端周部の当接位置から前記係止突部までの長さをＬ１としたときに、
次式を満足することを特徴とする請求項１または請求項２に記載の魚釣用スピニングリール。
Ｌｎ＜Ｌ１
【請求項４】
前記防水シール部材は、前記ドラグ調節体の締め付けを緩めて前記スプール軸から前記ドラグ調節体を取り外す際に、前記先端周部が前記係止突部に係止した状態で前記ドラグ調節体の取り外し方向に傾斜可能であり、
前記スプール軸と前記ドラグ調節体との螺合可能な長さをＬｎとし、
前記ドラグ調節体を最大に締め付けた位置から、前記ドラグ調節体の締め付けを緩めて前記先端周部に前記係止突部が当接する位置まで前記ドラグ調節体が移動する長さをＬ１とし、
前記防水シール部材が前記ドラグ調節体の取り外し方向に傾斜する際の当該防水シール部材の傾斜可動する部分の長さをＬ２とし、
前記防水シール部材が前記ドラグ調節体の取り外し方向に傾斜する際の前記傾斜可動する部分の傾斜角度をθ１とし、
前記係止突部における前記他方の側の対向面からの突出高さをＬ３としたときに、次式、
Ｌｎ＞Ｌ１
ｓｉｎθ１  ＝  （Ｌｎ−Ｌ１）／Ｌ２
Ｌ３＞Ｌ２（１−ｃｏｓθ１）
を満足することを特徴とする請求項１または請求項２に記載の魚釣用スピニングリール。
【請求項５】
前記先端周部および前記係止突部の少なくとも一方には、当該先端周部と当該係止突部との係止を保持するための保持手段が設けられていることを特徴とする請求項１から請求項４のいずれか１項に記載の魚釣用スピニングリール。
【請求項６】
前記防水シール部材は、前記スプール軸に前記ドラグ調節体を螺合して取り付ける際に、前記ドラグ調節体の取り付け方向に移動する前記係止突部に前記先端周部が押圧されて、前記ドラグ調節体の取り付け方向に傾斜可能であり、その傾斜角度は、前記ドラグ調節体を取り外す際に傾斜する際の傾斜角度に比べて小さくなるように設定されていることを特徴とする請求項４または請求項５に記載の魚釣用スピニングリール。
【請求項７】
前記防水シール部材は、前記スプール軸に前記ドラグ調節体を螺合して取り付ける際に、ドラグ調節体の締め付け方向に移動する前記係止突部に前記先端周部が当接して押圧されて、締め付け方向に傾斜可能であり、
前記先端周部に前記係止突部が当接した位置から、締め付け方向にさらに前記ドラグ調節体が締め付けられて、前記先端周部が前記係止突部を乗り越えるようにして係止状態が解除される位置までの前記ドラグ調節体の移動する長さをＬ４とし、
前記防水シール部材が前記ドラグ調節体の取り付け方向に傾斜する際の当該防水シール部材の傾斜可動する部分の長さをＬ２１とし、
前記防水シール部材が前記ドラグ調節体の取り付け方向に傾斜する際の前記傾斜可動する部分の傾斜角度をθ２とし、
前記係止突部における前記他方の側の対向面からの突出高さをＬ３としたときに、次式、
ｓｉｎθ２  ＝  Ｌ４／Ｌ２１
Ｌ３＜Ｌ２１（１−ｃｏｓθ２）
を満足することを特徴とする請求項１から請求項４のいずれか１項に記載の魚釣用スピニングリール。
【発明の詳細な説明】
【技術分野】
【０００１】
本発明は、魚釣用スピニングリールに関する。
【背景技術】
【０００２】
従来の一般的な魚釣用スピニングリールは、リール本体に回転可能に支持されたロータに釣糸案内部を有するベール支持部材が設けられており、このベール支持部材が釣糸巻取位置から釣糸放出位置へ回転可能に支持された構成となっている。そして、ロータは、ハンドルを回転操作することで、リール本体内に収容された駆動機構を介して回転駆動されるようになっており、また、駆動機構によって往復動されるスプールに対して、釣糸が釣糸案内部を介して巻回されるようになっている。
【０００３】
そして、釣糸放出時には、ベール支持部材を釣糸巻取位置から釣糸放出位置へ反転操作して釣糸を放出し、釣糸放出後には、ベール支持部材を元の釣糸巻取位置に返してハンドルを回転操作することにより釣糸案内部を介してスプールに釣糸が巻回されるようになっている。
【０００４】
そして、駆動機構の一部をなすスプール軸には、スプールとドラグ制動部材が嵌合されており、スプール軸の先端に螺合されたドラグ制動調節用のドラグ調節体で制動部材の締め付け調整を行うことによって、ドラグ制動力が調整されるように構成されている。
【０００５】
ところで、実釣時には、釣糸の張力変化や風等の影響によりスプールに巻回される釣糸が脱落してスプール内に入り込み、スプール軸に絡み付いたりすることがある。このような場合には、スプール軸からスプールを取り外して釣糸の絡み付きを解く必要がある。また、釣糸を交換する場合に、スプールごと取り外して、他の釣糸を巻き付けておいたスプールに交換することがある。これらの場合には、前記したドラグ調節体の締め付けを緩めて、ドラグ調節体をスプール軸の先端から取り外す必要があるが、その際に、誤ってドラグ調節体を落下させるおそれがあり、紛失する可能性があった。例えば、海中に落として回収が困難になってしまうと、そのスピニングリールで釣行を続けることが不可能となる。
【０００６】
そこで、従来では、ドラグ調節体に脱落防止のための機構を設けてドラグ調節体の落下の防止を図っていた（例えば、特許文献１，２参照）。
特許文献１では、ばねを利用して、ばねにドラグ調節体が引っ掛かるように構成して脱落防止を図り、ドラグ調節体を強く引くことによってドラグ調節体の引っ掛かりを解除してドラグ調節体をスプール軸から取り外せるように構成している。
一方、特許文献２では、ドラグ調節体にワッシャーを設け、スプール軸に対するドラグ調節体の螺合が解除された後もワッシャーがスプール軸のねじに螺合するように構成して脱落防止を図り、さらにワッシャーの螺合を解除することでドラグ調節体をスプール軸から取り外せるように構成している。
【先行技術文献】
【特許文献】
【０００７】
【特許文献１】実公昭４６−１５６４３号公報
【特許文献２】実開昭６３−１２２０７６号公報
【発明の概要】
【発明が解決しようとする課題】
【０００８】
通常、魚釣用スピニングリールは、使用環境の厳しい場所で使用されるため、実釣時に、スプールとドラグ調節体との隙間等を介して海水や異物等がドラグ機構に向けて侵入し易いという問題がある。
しかしながら、特許文献１，２では、このような侵入に対して工夫がなされていなかった。
そこで、公知のドラグ機構の防水技術を特許文献１，２に記載の脱落防止技術に組み合わせることが考えられる。しかしながら、そのようにすると、部品点数の増加や設計構造の観点からの制約が多くなってしまい、実現には至っていない。
【０００９】
本発明は、前記問題を解決するためになされたものであり、ドラグ調節体の脱落を好適に防止することができるとともに、ドラグ機構をなす制動部材の防塵、防水を図ることができる魚釣用スピニングリールを提供することを課題とする。
【課題を解決するための手段】
【００１０】
このような課題を解決する本発明の魚釣用スピニングリールは、リール本体に前後動可能に支持されたスプール軸に取り付けられ、ドラグ機構をなす制動部材を内側に収容可能な円筒状のスプールと、前記スプール軸の先端に螺合され、螺合による締め付け力により前記制動部材に当接して当該制動部材の摩擦結合力を調整可能とするドラグ調節体と、を備えた魚釣用スピニングリールにおいて、前記スプールまたは前記ドラグ調節体の一方の側から他方の側へ向けて突設され、前記スプールと前記ドラグ調節体との間に形成される空間を塞ぐようにして、先端周部が前記他方の側の対向面に摺接される弾性変形可能な防水シール部材と、前記他方の側の対向面から前記一方の側へ向けて突設され、前記防水シール部材の前記先端周部が係脱可能に係止される係止突部と、を備え、前記防水シール部材の前記先端周部は、前記スプール軸に対する前記ドラグ調節体の螺合を解除した状態で、前記係止突部に係止可能であることを特徴とする。
【００１１】
この魚釣用スピニングリールによれば、弾性変形可能な防水シール部材は、スプールとドラグ調節体との間に形成される空間を塞ぐようにして突設され、先端周部が他方の側の対向面に摺接されるようになっているので、ドラグ調節体の移動を可能としながらスプールとドラグ調節体との間のシール性を確保することができる。
さらに、防水シール部材の先端周部は、スプール軸に対するドラグ調節体の螺合を解除した状態で、係止突部に係脱可能に係止されるので、ドラグ調節体の螺合が解除された後も、スプールに対してドラグ調節体を弾性力の作用で係止させることができる。
【００１２】
また、本発明は、前記防水シール部材は、前記スプール側から前記ドラグ調節体側へ向けて突設されており、前記先端周部が前記ドラグ調節体の対向面に摺接されることを特徴とする。
【００１３】
この魚釣用スピニングリールによれば、防水シール部材の先端周部となる内周部がドラグ調節体の対向面に摺接することとなるので、これとは反対に、ドラグ調節体側からスプール側へ向けて防水シール部材が突設されて、その先端周部となる外周部がスプールの対向面に摺接する場合に比べて、摺接する部分の長さ（円周）を短くすることができる。
【００１４】
また、本発明は、前記スプール軸に前記ドラグ調節体を螺合した状態において、前記スプール軸と前記ドラグ調節体との螺合可能な長さをＬｎとし、前記他方の側の対向面における前記先端周部の当接位置から前記係止突部までの長さをＬ１としたときに、Ｌｎ＜Ｌ１を満足することを特徴とする。
【００１５】
この魚釣用スピニングリールによれば、スプール軸とドラグ調節体との螺合可能な長さＬｎよりも、他方の側の対向面における先端周部の当接位置から係止突部までの長さＬ１が長くされているので、ドラグ調節体を緩めて螺合状態が解除され始めた状態において、防水シール部材の先端周部を他方の側の対向面上に位置させることができる。
【００１６】
また、本発明は、前記防水シール部材が、前記ドラグ調節体の締め付けを緩めて前記スプール軸から前記ドラグ調節体を取り外す際に、前記先端周部が前記係止突部に係止した状態で前記ドラグ調節体の取り外し方向に傾斜可能であり、前記スプール軸と前記ドラグ調節体との螺合可能な長さをＬｎとし、前記ドラグ調節体を最大に締め付けた位置から、前記ドラグ調節体の締め付けを緩めて前記先端周部に前記係止突部が当接する位置まで前記ドラグ調節体が移動する長さをＬ１とし、前記防水シール部材が前記ドラグ調節体の取り外し方向に傾斜する際の当該防水シール部材の傾斜可動する部分の長さをＬ２とし、前記防水シール部材が前記ドラグ調節体の取り外し方向に傾斜する際の前記傾斜可動する部分の傾斜角度をθ１とし、前記係止突部における前記他方の側の対向面からの突出高さをＬ３としたときに、Ｌｎ＞Ｌ１、ｓｉｎθ１＝（Ｌｎ−Ｌ１）／Ｌ２、Ｌ３＞Ｌ２（１−ｃｏｓθ１）の各式を全て満足することを特徴とする。
【００１７】
この魚釣用スピニングリールによれば、前記各式を満たすことで、スプール軸とドラグ調節体との螺合が解除された状態において、防水シール部材は、先端周部が係止突部に係止した状態を維持しながらドラグ調節体の取り外し方向に傾斜する状態となり、スプールにドラグ調節体が保持されることとなる。
【００１８】
また、本発明は、前記先端周部および前記係止突部の少なくとも一方に、当該先端周部と当該係止突部との係止を保持するための保持手段が設けられていることを特徴とする。
【００１９】
この魚釣用スピニングリールによれば、保持手段によって先端周部と係止突部との係止が好適に保持されるようになり、スプールとドラグ調節体との係止状態が維持され易くなる。
【００２０】
また、本発明は、前記防水シール部材は、前記スプール軸に前記ドラグ調節体を螺合して取り付ける際に、前記ドラグ調節体の取り付け方向に移動する前記係止突部に前記先端周部が押圧されて、前記ドラグ調節体の取り付け方向に傾斜可能であり、その傾斜角度は、前記ドラグ調節体を取り外す際に傾斜する際の傾斜角度に比べて小さくなるように設定されていることを特徴とする。
【００２１】
この魚釣用スピニングリールによれば、スプール軸にドラグ調節体を螺合して取り付ける際の防水シール部材の傾斜角度が、ドラグ調節体を取り外す際に傾斜する際の傾斜角度に比べて小さくなるように設定されているので、ドラグ調節体を取り外す際には、傾斜角度が大きくなり、その分、取り外し方向に係止状態が比較的長く維持されるようになる。また、ドラグ調節体を取り付ける際には、傾斜角度が小さくされている分、先端周部が係止突部を乗り越え易くなり、押圧による係止状態が比較的短くなる。
【００２２】
また、本発明は、前記防水シール部材は、前記スプール軸に前記ドラグ調節体を螺合して取り付ける際に、ドラグ調節体の締め付け方向に移動する前記係止突部に前記先端周部が当接して押圧されて、締め付け方向に傾斜可能であり、前記先端周部に前記係止突部が当接した位置から、締め付け方向にさらに前記ドラグ調節体が締め付けられて、前記先端周部が前記係止突部を乗り越えるようにして係止状態が解除される位置までの前記ドラグ調節体の移動する長さをＬ４とし、前記防水シール部材が前記ドラグ調節体の取り付け方向に傾斜する際の当該防水シール部材の傾斜可動する部分の長さをＬ２１とし、前記防水シール部材が前記ドラグ調節体の取り付け方向に傾斜する際の前記傾斜可動する部分の傾斜角度をθ２とし、前記係止突部における前記他方の側の対向面からの突出高さをＬ３としたときに、ｓｉｎθ２＝Ｌ４／Ｌ２１、Ｌ３＜Ｌ２１（１−ｃｏｓθ２）を満足することを特徴とする。
【００２３】
この魚釣用スピニングリールによれば、前記式を満たすことで、防水シール部材は、ドラグ調節体の取り付け方向に移動する係止突部に先端周部が押圧されて、取り付け方向に傾斜する状態となり、さらにドラグ調節体が締め付けられることで、先端周部が係止突部を乗り越えて押圧状態が解除されることとなる。
【発明の効果】
【００２４】
本発明によれば、防水シール部材により、ドラグ調節体の移動を可能としながらスプールとドラグ調節体との間のシール性を確保することができるので、ドラグ機構をなす制動部材の防塵、防水を図ることができる。
また、ドラグ調節体の螺合が解除され始めた後も、防水シール部材を介して、スプールにドラグ調節体を弾性力の作用で係止させることができるので、ドラグ調節体の脱落を好適に防止することができる。これにより、誤ってドラグ調節体を落下させてしまうことがなくなり、スプール交換時等の取り扱いが容易になる。
また、先端周部と係止突部との係止状態を解除することによりスプールからドラグ調節体を取り外すことができるので、ドラグ調節体の脱落を好適に防止することができる構成でありながら、スプールの交換やメンテナンス等も簡単に行うことができる。
【００２５】
また、防水シール部材が、スプール側からドラグ調節体側へ向けて突設された構成では、ドラグ調節体側からスプール側へ向けて防水シール部材が突設された場合に比べて、摺接する部分の長さ（円周長さ）を短くすることができるので、ドラグ機構を介してスプールが回転する際に防水シール部材を介して生じる抵抗を可及的に小さくすることができ、魚等の引きによる釣糸の繰り出しがスムーズになる。したがって、ドラグ機構を介したスプールの回転フィーリング性が向上する。
【００２６】
また、スプール軸とドラグ調節体との螺合可能な長さＬｎよりも、他方の側の対向面における先端周部の当接位置から係止突部までの長さＬ１が長くされた構成では、ドラグ調節体を緩めて螺合状態が解除され始めた状態において、防水シール部材の先端周部を他方の側の対向面上に位置させることができるので、ドラグ調節体の脱落を確実に防止することができる。
そして、Ｌｎ＜Ｌ１を満足する範囲においては、螺合状態を解除した後に防水シール部材が傾斜することなく係止突部に係止されることとなるので、防水シール部材が傾斜した状態で係止突部に係止される場合に比べて、係止突部の対向面からの突出高さを低くすることができるようになり、設計の自由度が高まる。
【００２７】
また、前記した各式、Ｌｎ＞Ｌ１、ｓｉｎθ１＝（Ｌｎ−Ｌ１）／Ｌ２、Ｌ３＞Ｌ２（１−ｃｏｓθ１）を全て満足する構成では、防水シール部材の先端周部が傾斜した状態で係止突部に係止されるようになり、ドラグ調節体の脱落を好適に防止することができる。
また、傾斜した状態で先端周部と係止突部との係止状態が維持されることとなるので、スプール周りの各寸法の設計の自由度が高まる。
さらに、防水シール部材は、傾斜しながらその先端周部が係止突部に係止されるようになっているので、前記した長さＬ１を可及的に短くすることができ、その分、ドラグ機構をなす制動部材の制動板やライニング材の数を増やすことができる。これにより、ドラグ機構の高性能化に対応可能な魚釣用スピニングリールが得られる。
【００２８】
また、先端周部および係止突部の少なくとも一方に保持手段が設けられている構成では、スプールとドラグ調節体との係止状態が維持され易くなるので、ドラグ調節体の脱落をより一層好適に防止することができる。
【００２９】
さらに、スプール軸にドラグ調節体を螺合して取り付ける際の防水シール部材の傾斜角度が、ドラグ調節体を取り外す際に傾斜する際の傾斜角度に比べて小さくなるように設定されている構成では、ドラグ調節体を取り外す際の係止状態が比較的長く維持されるので、ドラグ調節体が脱落するのを好適に防止することができ、また、ドラグ調節体を取り付ける際の押圧による係止状態が比較的短くなるので、ドラグ調節体の取り付けをスムーズに行うことができる。
【００３０】
また、前記した各式、ｓｉｎθ２＝Ｌ４／Ｌ２１、Ｌ３＜Ｌ２１（１−ｃｏｓθ２）を満足する構成では、防水シール部材の先端周部が、ドラグ調節体の取り付け方向に移動する係止突部に押圧されて、取り付け方向に傾斜する状態となり、さらにドラグ調節体が締め付けられることで、先端周部が係止突部を乗り越えて押圧状態が解除されることとなるので、ドラグ調節体の取り付け時に先端周部と係止突部との押圧状態を確実に解除することができ、ドラグ調節体の取り付けをスムーズに行うことができる。
【図面の簡単な説明】
【００３１】
【図１】（ａ）は本発明の第１実施形態に係る魚釣用スピニングリールの全体構成を示す一部断面図、（ｂ）は要部の構成を示す拡大断面図である。
【図２】（ａ）はドラグ調節体を締め付けた状態を示す要部の拡大断面図、（ｂ）は図２（ａ）における防水シール部材の当接状態を示す模式図である。
【図３】（ａ）はドラグ調節体とスプール軸との螺合が解除され始めた状態を示す要部の拡大断面図、（ｂ）は図３（ａ）における防水シール部材の当接状態を示す模式図である。
【図４】（ａ）はドラグ調節体を取り付ける際に防水シール部材の先端周部が係止突部を乗り越えた状態を示す要部の拡大断面図、（ｂ）は図４（ａ）における防水シール部材の当接状態を示す模式図である。
【図５】（ａ）は本発明の第２実施形態に係る魚釣用スピニングリールの要部の構成を示す拡大断面図、（ｂ）は図５（ａ）における防水シール部材が傾斜した際の様子を示す模式図である。
【図６】（ａ）は本発明の第３実施形態に係る魚釣用スピニングリールの要部の構成を示す拡大断面図、（ｂ）は図６（ａ）における防水シール部材が傾斜した際の様子を示す模式図である。
【図７】（ａ）は本発明の第４実施形態に係る魚釣用スピニングリールの要部の構成を示す拡大断面図、（ｂ）は図７（ａ）における防水シール部材が傾斜した際の様子を示す模式図である。
【図８】本発明の魚釣用スピニングリールの変形例を示す要部の拡大断面図である。
【発明を実施するための形態】
【００３２】
以下、本発明に係る魚釣用スピニングリールの実施形態について図面を参照しながら説明する。各実施形態において、同一の部分には同一の符号を付し、重複する説明は省略する。なお、以下の説明において、「前後」を言うときは、図１に示した方向を基準とする。
【００３３】
（第１実施形態）
図１に示すように、主として、魚釣用スピニングリールは、図示しない釣竿に装着するための脚部１Ａが形成されたリール本体１と、リール本体１の前方に回転可能に設けられたロータ２と、このロータ２の回転運動と同期して前後方向移動可能に設けられたスプール３とを有して構成される。
【００３４】
リール本体１には、図示しない軸受を介してハンドル軸４が回転可能に支持されており、その図示しない突出端部には、巻き取り操作されるハンドル５が取り付けられている。ハンドル軸４には、図示しない軸筒が、回り止めされて固定されている。この軸筒には、ロータ２を巻き取り駆動するための内歯が形成されたドライブギヤ６が一体的に形成されている。このドライブギヤ６は、ハンドル軸４と直交する方向に延出するとともに内部に軸方向に延出する空洞部を有する駆動軸筒８のピニオンギヤ８ａに噛合している。
【００３５】
駆動軸筒８は、軸受を介して回転可能に支持されており、その空洞部には、ハンドル軸４と直交する方向に延出し、先端側にスプール３が取り付けられるスプール軸９が、軸方向に移動可能に挿通され、支持されている。
【００３６】
スプール軸９の後端部には、スプール軸９を前後動させるためのオシレーティング機構が設けられている。オシレーティング機構は、少なくとも、ドライブギヤ６の歯車６ａに噛合する連動歯車６ｂに設けられた偏芯突部７ａと、スプール軸９の後端部に取り付けられた摺動子７と、この摺動子７に設けられ、偏芯突部７ａと係合する案内溝７ｂと、摺動子７と係合して摺動子７の往復動を案内する図示しないガイドと、を含んで構成されている。
【００３７】
駆動軸筒８はスプール３側に向けて延出しており、その前端部において、ナット２ａを介してロータ２が取り付けられている。また、駆動軸筒８には、その中間部分に転がり式の図示しない一方向クラッチが取り付けられており、リール本体１の外部に取り付けられた切換部材１ｃを回動操作することで、一方向クラッチを作動状態と非作動状態とに切り換えるように構成されている。この場合、切換部材１ｃを作動状態に切り換えることで、ハンドル５（ロータ２）の逆転方向の回転（釣糸放出方向の回転）が防止されるようになっている。
【００３８】
ロータ２は、スプール３のスカート部３ａ内に位置する円筒部２ｂと、一対のアーム部２ｃ，２ｄを具備している。各アーム部２ｃ，２ｄの前端部には、ベール支持部材２ｅ，２ｆが釣糸巻取位置と釣糸放出位置との間で回動自在に支持されており、これらのベール支持部材２ｅ，２ｆ間には、放出状態にある釣糸をピックアップするベール２ｇが配設されている。ベール２ｇは、一方の基端部がベール支持部材２ｅに一体的に設けられた図示しない釣糸案内部に取り付けられており、他方の基端部がベール支持部材２ｆに取り付けられている。
【００３９】
スプール３は、スカート部３ａと前側フランジ３ｂとの間に図示しない釣糸が巻回される釣糸巻回胴部３ｃを備えており、スプール軸９にドラグ機構をなす制動部材１０を介して摩擦結合され、スプール軸９の先端部に螺合されて取り付けられるドラグ機構をなすドラグ調節体２０を回動操作することでスプール３のドラグ力が調節される。
【００４０】
ドラグ機構は、スプール軸９に回転可能に支持されたスプール３に対して所望の制動力、すなわちスプール３に巻回された釣糸が繰り出された際に、スプール３に対して所望の制動力を与えるようになっており、制動部材１０と、ドラグ調節体２０とを備えて構成されている。
【００４１】
制動部材１０は、図１（ｂ）に示すように、スプール３の内側に設けられた円筒状の仕切壁３ｈに仕切られて形成された収容室３ｄ内に収容されており、スプール軸９に対して軸方向に移動可能で回り止め嵌合された２枚の制動板１１ａ，１１ｃと、収容室３ｄの内面に設けられた溝部３ｅに係止される突部を備え、スプール３とともに回転される１枚の制動板１１ｂと、制動板１１ａ，１１ｂ間、制動板１１ｂ，１１ｃ間、制動板１１ｃの側方に、それぞれ配置された３枚のライニング材１２とを備えて構成されている。
これらの部材からなる制動部材１０は、ドラグ調節体２０が締め付けられた際に、図２（ａ）に示すように、後記する押圧部材２５の摺動によるドラグスプリング２３の付勢力によりスプール側部材２１の後面２１ｄ’によって押圧され、スプール３の前端面３ｆとの間に圧接される。これによって、スプール３に対して所望のドラグ力を生じさせる。
【００４２】
図１（ｂ）に示すように、収容室３ｄの内面には、リング状の規制部材１３が係合されており、この規制部材１３は、制動板１１ｂが収容室３ｄの前端開口に向けて移動するのを規制している。
収容室３ｄの開口には、弾性変形可能な防水シール部材３０が取り付けられている。防水シール部材３０は、合成ゴム等の材料（例えば、ブチレンゴム）からなる円環状の部材であり、スプール３側からドラグ調節体２０側に向けて突設され、スプール３とドラグ調節体２０（スプール側部材２１の胴部２１ｂ）との間に形成される空間をスプール軸９の軸方向に塞ぐようになっている。
防水シール部材３０は、収容室３ｄの前端開口に取り付けられる断面略コ字形状の取付部３１と、取付部３１に一体的に設けられた円板状の可動部３２とを備え、可動部３２の先端周部３３（内周部）が対向面となる胴部２１ｂの外周面２１ｃの周方向の全体に摺接されるようになっている。
【００４３】
取付部３１は、可動部３２よりも肉厚に形成されており、仕切壁３ｈの前端周部に形成された周溝３ｇに嵌合する嵌合部３１ａを備えている。可動部３２は、取付部３１よりも薄肉に形成され、スプール軸９に向けて直交するように延設されている。可動部３２の内周側には、ドラグ調節体２０のスプール側部材２１が位置するようになっており、その胴部２１ｂの外周面２１ｃに、可動部３２の先端周部３３が周状に弾力をもって当接するようになっている。
【００４４】
可動部３２は、後記するように、ドラグ調節体２０の締め付けを緩めてスプール軸９からドラグ調節体２０を取り外す際に、先端周部３３が外周面２１ｃの後端部に突設された係止突部２４に係脱可能に係止するようになっており、係止した状態でドラグ調節体２０の取り外し方向（スプール３の前方）に向けて傾斜可能となっている（図３（ａ）（ｂ）参照）。
つまり、ドラグ調節体２０の締め付けを緩めてドラグ調節体２０の螺合状態を解除すると、係止突部２４が防水シール部材３０の先端周部３３に当接して係止され、図３（ｂ）に示すように、取り外し方向に移動する係止突部２４に先端周部３３が引っ張られて、ドラグ調節体２０の取り外し方向に係止状態を維持しつつ傾斜する。したがって、ドラグ調節体２０とスプール軸９との螺合状態が解除された後も、防水シール部材３０を介してスプール３にドラグ調節体２０が保持されるようになっている。
【００４５】
また、可動部３２は、後記するように、スプール軸９にドラグ調節体２０を螺合して取り付ける際に、ドラグ調節体２０の取り付け方向に移動する係止突部２４により先端周部３３が押圧されることで、ドラグ調節体２０の取り付け方向に向けて傾斜可能となっている（図４（ａ）（ｂ）参照）。
つまり、ドラグ調節体２０を取り付ける際に締め付けていくと、係止突部２４が防水シール部材３０の先端周部３３に当接し、取り付け方向に移動する係止突部２４により、図４（ａ）に示すように、先端周部３３が押圧されてドラグ調節体２０の取り付け方向に可動部３２が略円錐状に傾斜するようになっている。そして、ドラグ調節体２０がさらに締め付けられることによって、先端周部３３が係止突部２４を乗り越えて、先端周部３３と係止突部２４との押圧状態（係止状態）が解除されることとなる。
なお、このような可動部３２の傾斜の詳細については後記する。
【００４６】
ここで、防水シール部材３０は、図２（ｂ）に示すように、前面側に段差３２ａを形成して取付部３１と可動部３２との境界部分が形成されている。本実施形態では、段差３２ａがアール状に形成されているので、この部分に応力が集中することがなく、可動部３２の好適な略円錐状の傾斜を実現している。
また、段差３２ａがアール状に形成されているので、可動部３２がドラグ調節体２０の取り外し方向（スプールの前方）に向けて略円錐状に傾斜する（折れ曲がる）際に、折れ曲がり部分を仕切壁３ｈの先端部側に押し付けるように作用し、折れ曲がり部分（取付部３１）がバタつくことが抑制されるようになっている。
なお、段差３２ａを形成する位置は、防水シール部材３０の径方向において任意に設定することができ、折れ曲がる位置を変更することによって可動部３２の長さ（折れ曲がりの長さ）を変更することができる。
本実施形態においては、ドラグ調節体２０の取り外し方向に可動部３２が傾斜する長さＬ２と、取り付け方向に可動部３２が傾斜する長さＬ２１とが同じ長さ（Ｌ２＝Ｌ２１）となるように設定されている（図３（ａ）（ｂ）、図４（ａ）（ｂ）参照）。
【００４７】
図１（ｂ）を参照して、ドラグ調節体２０は、スプール３の回転を制動するドラグ力の強弱の調節を行うとともに、スプール軸９に螺合された状態でスプール３の抜け止めを果たす役割をなすものであり、スプール３側に設けられるスプール側部材２１と、このスプール側部材２１に対して回動可能に、かつスプール軸９の軸方向に移動が規制されて係止された調節操作部材２２とを備えて構成される。
【００４８】
スプール側部材２１は、前側に開口する中空部２１ａを備えた断面略ハット状を呈しており、その中空部２１ａに、ドラグスプリング２３が収容されるようになっている。スプール側部材２１の後部２１ｄには、スプール軸９が挿通される挿通孔２１ｅが形成されており、スプール側部材２１は、この挿通孔２１ｅを介し、スプール軸９に対して、その軸方向に移動可能にかつ回り止め嵌合されている。そして、スプール軸９にドラグ調節体２０が取り付けられて締め付けられた状態（図２（ａ）参照）で、スプール側部材２１の後部２１ｄは、収容室３ｄ内に配置され、その後面２１ｄ’で制動部材１０の制動板１１ａを押圧するようになっている。この状態で、スプール側部材２１の円筒状の胴部２１ｂの外周面２１ｃには、防水シール部材３０の先端周部３３が当接するように（摺接可能に）なっている。
【００４９】
胴部２１ｂの後端外周部には、図２（ｂ）に示すように、外周面２１ｃからスプール３側へ向けて断面略半球状の係止突部２４が突設されている。この係止突部２４には、ドラグ調節体２０の取り付け取り外し時に、防水シール部材３０の先端周部３３が係脱可能に係止されるようになっている。係止突部２４と先端周部３３との係止についての詳細は後記する。
【００５０】
図１（ｂ）を参照して、調節操作部材２２は、堤状に突出形成された操作部（摘み部）２２ａを備え、スプール側部材２１の前面側に取り付け固定されている。そして、調節操作部材２２は、スプール側部材２１の中空部２１ａに連通する凹部２２ｂを後側に有しており、その凹部２２ｂに、スプール軸９の先端部に形成された雄ねじ部９ａに螺合可能な雌ねじ部２５ａを有する筒状の押圧部材２５が配置されている。押圧部材２５の後面にはドラグスプリング２３の前端部が付勢力をもって当接するようになっている。
本実施形態では、凹部２２ｂが六角形等の角穴中空とされており、押圧部材２５は、この角穴中空に対応する外形状を備えて構成されて、凹部２２ｂに対して軸方向に移動可能に、かつ回り止め嵌合されて配置されている。
これによって、調節操作部材２２を回動操作すると、押圧部材２５は、スプール軸９に沿って回動しながら、図２（ａ）に示すように、凹部２２ｂ内を移動することとなり、その移動に伴って、ドラグスプリング２３の付勢力を調節して、所望の制動力を制動部材１０に与えるようになっている。
【００５１】
次に、防水シール部材３０とドラグ調節体２０の係止突部２４との関係について説明する。
本実施形態では、スプール軸９とドラグ調節体２０の押圧部材２５との螺合可能な長さをＬｎ（図１（ａ）参照）とし、ドラグ調節体２０を略最大に締め付けた位置（略最大のドラグ力が得られるように絞め付けた位置）からドラグ調節体２０の締め付けを緩めて先端周部３３に係止突部２４が当接する位置までドラグ調節体２０（スプール側部材２１）が移動する長さをＬ１としたときに（図２（ｂ）参照）、Ｌｎ＞Ｌ１となるように設定されている。
つまり、ドラグ調節体２０の締め付けを緩めていくと、押圧部材２５の雌ねじ部２５ａとスプール軸９の雄ねじ部９ａとの螺合が解除される前に、先端周部３３に係止突部２４が当接するように設定されている。したがって、押圧部材２５とスプール軸９との螺合が解除され始めた時点で、防水シール部材３０の可動部３２は、ドラグ調節体２０の取り外し方向に傾斜した状態となる。
【００５２】
そこで、押圧部材２５とスプール軸９との螺合が解除され始めた状態において、係止突部２４に先端周部３３が係止されるように、本実施形態では、各部の関係を次のように設定している。
すなわち、図３（ｂ）に示すように、防水シール部材３０において傾斜可動する部分となる可動部３２の長さをＬ２とし、防水シール部材３０の可動部３２がドラグ調節体２０の取り外し方向に傾斜する際の傾斜角度をθ１とし、係止突部２４における外周面２１ｃからの突出高さをＬ３とし、先端周部３３が係止突部２４に係止しているときの高さをＬａとしたときに、次式（１）〜（３）を満足するように設定している。
Ｌａ  ＝  Ｌ２−Ｌ２ｃｏｓθ１  ＝  Ｌ２（１−ｃｏｓθ１）・・・（１）
ｓｉｎθ１  ＝  （Ｌｎ−Ｌ１）／Ｌ２    ・・・（２）
Ｌ３＞Ｌ２（１−ｃｏｓθ１）            ・・・（３）
ここで、０°＜θ１＜４５°
【００５３】
つまり、先端周部３３が係止突部２４に係止しているときの高さＬａが、係止突部２４の突出高さＬ３よりも小さくなるように設定されているので、押圧部材２５とスプール軸９との螺合が解除され始めた時点では、係止突部２４と先端周部３３との係止状態が維持されていることとなり、スプール３にドラグ調節体２０が確実に保持されるようになっている。
【００５４】
なお、この状態からドラグ調節体２０をさらに取り外し方向に引っ張ると、係止突部２４が取り外し方向にさらに移動し、先端周部３３が係止突部２４を乗り越えて、これらの係止状態が解除され、ドラグ調節体２０の取り外しが可能となる。これによって、スプール３の取り外しも可能となる。
【００５５】
一方、ドラグ調節体２０を取り付ける際に締め付けていくと、前記したように、Ｌｎ＞Ｌ１となるように設定されているので、締め付けの途中で係止突部２４が先端周部３３に当接し、さらに締め付けることによって、係止突部２４が先端周部３３を押圧して防水シール部材３０の可動部３２がドラグ調節体２０の取り付け方向に傾斜する状態となる。
そこで、ドラグ調節体２０が略最大に締め付けられる位置まで移動した際（好ましくは、ドラグ調節体２０のスプール側部材２１の後面２１ｄ’が制動部材１０に当接する位置まで移動した際）に、係止突部２４から先端周部３３が外れるようにする必要がある。そのため、本実施形態では、各部の関係を次のように設定している。
【００５６】
すなわち、図４（ｂ）に示すように、防水シール部材３０の可動部３２がドラグ調節体２０の取り外し方向に傾斜する際の傾斜角度をθ２とし、先端周部３３が係止突部２４から外れるときの高さをＬａ’とし、ドラグ調節体２０の取り付け方向に可動部３２が傾斜する長さをＬ２１としたときに、次式（４）〜（６）を満足するように設定している。なお、本実施形態では、前記したように、可動部３２の傾斜する長さＬ２１と長さＬ２とが同じ長さであるため、長さＬ２１を長さＬ２に置き換えて説明する。
Ｌａ’＝  Ｌ２−Ｌ２ｃｏｓθ２  ＝  Ｌ２（１−ｃｏｓθ２）・・・（４）
ｓｉｎθ２  ＝  Ｌ４／Ｌ２    ・・・（５）
Ｌ３＜Ｌ２（１−ｃｏｓθ２）  ・・・（６）
【００５７】
つまり、先端周部３３が係止突部２４から外れるときの高さＬａ’が、係止突部２４の突出高さＬ３よりも大きくなっているので、ドラグ調節体２０を略最大に締め付けた位置では、係止突部２４と先端周部３３との係合状態（押圧状態）が確実に解除されることとなり、先端周部３３が係止突部２４を乗り越えて可動部３２の傾斜状態が解除される。
これによって、先端周部３３がスプール側部材２１の胴部２１ｂの外周面２１ｃに当接し、スプール３とドラグ調節体２０との間が防水シール部材３０によって塞がれる状態となる（図２（ａ）参照）。
【００５８】
以上説明した本実施形態の魚釣用スピニングリールによれば、弾性変形可能な防水シール部材３０は、スプール３とドラグ調節体２０との間に形成される空間を塞ぐようにして突設され、先端周部３３がドラグ調節体２０のスプール側部材２１における胴部２１ｂの外周面２１ｃに摺接されるようになっているので、ドラグ調節体２０の移動を可能としながらスプール３とドラグ調節体２０との間のシール性を確保することができ、ドラグ機構をなす制動部材１０の防塵、防水を図ることができる。
さらに、防水シール部材３０の先端周部３３は、スプール軸９に対するドラグ調節体２０の螺合を解除した状態で、係止突部２４に係脱可能に係止されるので、ドラグ調節体２０の螺合が解除された後も、スプール３に対してドラグ調節体２０を弾性力の作用で係止させることができ、引き続き、制動部材１０の防塵、防水を図ることができる。
【００５９】
また、ドラグ調節体２０の螺合が解除された後も、防水シール部材３０を介して、スプール３にドラグ調節体２０を係止させることができるので、ドラグ調節体２０の脱落を好適に防止することができる。これにより、誤ってドラグ調節体２０を落下させてしまうことがなくなり、スプール３の交換時等の取り扱いが容易になる。
また、先端周部３３と係止突部２４との係止状態を解除することによりスプール３からドラグ調節体２０を取り外すことができるので、ドラグ調節体２０の脱落を好適に防止することができる構成でありながら、スプール３の交換やメンテナンス等も簡単に行うことができる。
【００６０】
また、防水シール部材３０の先端周部３３となる内周部がドラグ調節体２０の対向面となる外周面２１ｃに摺接することとなるので、これとは反対に、ドラグ調節体２０側からスプール３側へ向けて防水シール部材３０が突設されて、その先端周部となる外周部がスプール３の対向面に対して摺接する場合に比べて、摺接する部分の長さ（円周長さ）を短くすることができる。
したがって、ドラグ機構を介してスプール３が回転する際に防水シール部材３０を介して生じる抵抗を可及的に小さくすることができ、魚等の引きによる釣糸の繰り出しがスムーズになる。したがって、ドラグ機構を介したスプール３の回転フィーリング性が向上する。
【００６１】
また、前記（１）〜（３）の式を満たすことで、スプール軸９とドラグ調節体２０との螺合が解除された状態において、防水シール部材３０は、先端周部３３が係止突部２４に係止した状態を維持しながらドラグ調節体２０の取り外し方向に傾斜する状態となり、スプール３にドラグ調節体２０が保持されることとなるので、ドラグ調節体２０の脱落を好適に防止することができる。
また、傾斜した状態で先端周部３３と係止突部２４との係止状態が維持されることとなるので、スプール３の周りの各寸法の設計の自由度が高まる。
さらに、防水シール部材３０は、傾斜しながらその先端周部３３が係止突部２４に係止されるようになっているので、前記した長さＬ１を可及的に短くすることができ、その分、ドラグ機構をなす制動部材１０の制動板１１ａ〜１１ｃやライニング材１２の数を増やすことができる。これにより、ドラグ機構の高性能化に対応可能な魚釣用スピニングリールが得られる。
【００６２】
また、前記式（４）〜（６）を満たすことで、防水シール部材３０の先端周部３３が、ドラグ調節体２０の取り付け方向に移動する係止突部２４に押圧されて傾斜する状態となり、さらにドラグ調節体２０が締め付けられることで、先端周部３３が係止突部２４を乗り越えて押圧状態が解除されることとなるので、ドラグ調節体２０の取り付け時に先端周部３３と係止突部２４との押圧状態を確実に解除することができる。これによって、ドラグ調節体２０の取り付けをスムーズに行うことができる。
【００６３】
（第２実施形態）
本実施形態が前記第１実施形態と異なるところは、防水シール部材３０の先端周部３３に保持手段を設けた点にある。
図５（ａ）（ｂ）に示すように、防水シール部材３０の先端周部３３には、係止突部２４ａに当接する側となる後側に保持手段として機能する突起部３３ａが形成されている。この突起部３３ａは、断面半球状とされており、図５（ｂ）に示すように、係止突部２４ａの対向面２４ｂに対して引っ掛かり易く係止状態が維持され易い形状とされている。また、係止突部２４ａの対向面２４ｂは、平らに形成されており、第１実施形態で示した係止突部２４に比べて突起部３３ａが引っ掛かり易くなっている。
【００６４】
また、先端周部３３の前部３３ｂは、アール状に面取りされており、係止突部２４ａとの係止状態が解除され易い形状とされている。また、係止突部２４ａは、対向面２４ｂから続く後部２４ｃがアール状に面取りされており、先端周部３３の前部３３ｂとの係止状態が解除され易い形状とされている。
【００６５】
このような構成とされた魚釣用スピニングリールにおいても、ドラグ調節体２０の締め付けを緩めてドラグ調節体２０を取り外す際に、係止突部２４ａの対向面２４ｂが防水シール部材３０の先端周部３３の突起部３３ａに当接して係止されることとなる。ここで、突起部３３ａは半球状に形成されており、また、係止突部２４ａの対向面２４ｂは平らに形成されているので、ドラグ調節体２０を取り外す際にこれらが相互に引っ掛かり易くなる。
したがって、このような突起部３３ａや対向面２４ｂが形成されていない場合に比べて、これらの間の係止状態が好適に維持されるようになり、ドラグ調節体２０の脱落をより一層好適に防止することができるようになる。
【００６６】
また、ドラグ調節体２０をスプール軸９に螺合してドラグ調節体２０を取り付ける際には、係止突部２４ａの後部２４ｃが先端周部３３の前部３３ｂに当接してこれを押圧するので、第１実施形態と同様に防水シール部材３０の可動部３２がドラグ調節体２０の取り付け方向に略円錐状に傾斜することとなるが、押圧時の対向面同士がアール状に形成されているので、先端周部３３が係止突部２４ａを乗り越え易くなる。
したがって、このように押圧時の対向面同士がアール状に形成されていない場合に比べて、係止突部２４ａと先端周部３３との係止状態が解除され易くなり、ドラグ調節体２０のスムーズな取り付けが実現される。
【００６７】
また、前記したように、ドラグ調節体２０の取り外し方向に係止突部２４ａと先端周部３３との係止状態が維持され易く、また、これとは反対側となるドラグ調節体２０の取り付け方向に係止突部２４ａと先端周部３３との係止状態が解除され易くなるので、第１実施形態に示したものに比べて、図５（ｂ）に示すように、取り外し方向の傾斜角度θ３と、取り付け方向の傾斜角度θ４とを異ならせることができ、これによって、各部の設計の自由度を高めることができるようになる。
【００６８】
（第３実施形態）
本実施形態が前記第１，第２実施形態と異なるところは、防水シール部材３０の可動部分となる可動部３２の長さ（折れ曲がり長さ）が、ドラグ調節体２０の取り外し方向と取り付け方向とで異なるように設けた点にある。
【００６９】
そのための構成として、本実施形態では、スプール３の仕切壁３ｈの前端内側に可動部３２の折れ曲がり位置を変更するための当接部３４を設けている。
このような当接部３４を設けることによって、ドラグ調節体２０が取り外し方向に向けて傾斜する際の可動部３２の長さＬ２よりも、ドラグ調節体２０が取り付け方向に向けて傾斜する際の可動部３２の長さＬ２’が短くなる。
【００７０】
つまり、このような構成とされた魚釣用スピニングリールでは、ドラグ調節体２０の締め付けを緩めてドラグ調節体２０を取り外す際に、長さＬ２を備えて可動部３２が取り外し方向に略円錐状に傾斜するようになり、長さＬ２を有効に利用した係止突部２４と先端周部３３との係止状態が実現される。したがって、ドラグ調節体２０の脱落を好適に防止することができる。
【００７１】
一方、ドラグ調節体２０を取り付ける際には、可動部３２が当接部３４に当接して前記した長さＬ２よりも短い長さＬ２’を備えて可動部３２が取り付け方向に略円錐状に傾斜するようになり、傾斜時の回転半径が小さくなって、係止突部２４と先端周部３３との押圧状態が解除され易くなる。
したがって、前記第１実施形態で示した例に比べて、係止突部２４を先端周部３３が乗り越えやすくなり、ドラグ調節体２０のスムーズな取り付けを実現することができる。
【００７２】
（第４実施形態）
本実施形態が前記第１〜第３実施形態と異なるところは、ドラグ調節体２０側からスプール３側に向けて防水シール部材３０Ａが突設されており、先端周部（外周部）３３Ａの対向面となるスプール３の内周面３５に先端周部３３Ａが摺接するように構成されている点である。
なお、図７（ｂ）では、簡単のため、ドラグ調節体２０に対して相対的にスプール３側が移動するように示してある。
【００７３】
防水シール部材３０Ａは、取付部３１Ａがスプール側部材２１の胴部２１ｂの外周面２１ｃに取り付けられており、可動部３２Ａは、長さＬ７を有して、ドラグ調節体２０の取り外し時に、先端周部３３Ａが係止突部３６に係止して、ドラグ調節体２０を取り外す方向と逆の方向に略円錐状に傾斜するようになっている。
また、可動部３２Ａは、ドラグ調節体２０の取り付け時に、先端周部３３Ａが係止突部３６に当接して、ドラグ調節体２０を取り付ける方向と逆の方向に同様に傾斜するようになっている。
【００７４】
そして、ドラグ調節体２０の取り付け時には、調節操作部材２２の円筒部の後端部２２ｃに可動部３２Ａの中央部から径方向の取付部３１Ａ側となる部位が当接し、この当接した部分から変則的に可動部３２Ａが折れ曲がって傾斜することとなる。このとき、変則的に折れ曲がる部分の可動部３２Ａの長さＬ７’は、長さＬ７よりも短くなっているので、傾斜時の回転半径が小さくなり、押圧状態が解除され易くなる。
したがって、このような変則的な折れ曲がりが生じない場合に比べて、本実施形態では、係止突部２４と先端周部３３Ａとの押圧状態が解除され易くなり、ドラグ調節体２０のスムーズな取り付けを実現することができる。
【００７５】
図８は本実施形態の魚釣用スピニングリールの変形例を示す図である。図８に示すように、この変形例では、制動部材１０が１組の制動板１１ａとライニング材１２とからなっており、その分、スプール側部材２１の胴部２１ｂが制動部材１０側に長く延設されている。
この魚釣用スピニングリールでは、スプール軸９にドラグ調節体２０を螺合した状態において、スプール軸９とドラグ調節体２０との螺合可能な長さをＬｎとし、スプール側部材２１の胴部２１ｂの外周面２１ｃにおける先端周部３３の当接位置から係止突部２４までの長さをＬ１としたときに、Ｌｎ＜Ｌ１となるように設定されている。
【００７６】
つまり、この魚釣用スピニングリールでは、前記のようにＬｎ＜Ｌ１となるように設定されているので、ドラグ調節体２０を緩めて螺合状態が解除され始めた状態において、防水シール部材３０の先端周部３３を外周面２１ｃ上に位置させることができる。
したがって、ドラグ調節体２０の脱落を確実に防止することができる。
【００７７】
そして、Ｌｎ＜Ｌ１を満足する範囲においては、螺合状態を解除した後に防水シール部材３０が傾斜することなく係止突部２４に係止されることとなるので、防水シール部材３０が傾斜した状態で係止突部２４に係止される場合に比べて、係止突部２４の外周面２１ｃからの突出高さを低くすることができるようになり、設計の自由度が高まる。
【００７８】
なお、前記第１実施形態では、防水シール部材３０の可動部３２がドラグ調節体２０の取り外し方向および取り付け方向のいずれの方向においても長さＬ２となるように設定したが、これに限られることはなく、適宜異なる長さとして設定することができる。例えば、段差３２ａの形成位置を防水シール部材３０の径方向に移動させて、防水シール部材３０の前後で折れ曲がり位置が異なるように設定してもよい。
【００７９】
また、前記第１〜第３実施形態では、スプール３の仕切壁３ｈに防水シール部材３０の取付部３１を固定したが、これに限られることはなく、スプール３の内周面３５（図７参照）に取付部３１を固定してドラグ調節体２０のスプール側部材２１における胴部２１ｂの外周面２１ｃ等に向けて先端周部３３を延設してもよい。
【符号の説明】
【００８０】
１      リール本体
３      スプール
３ｄ    収容室
９      スプール軸
１０    制動部材
２０    ドラグ調節体
２１    スプール側部材
２１ｂ  胴部
２１ｃ  外周面
２２    調節操作部材
２４，２４ａ，３６    係止突部
３０    防水シール部材
３０Ａ  防水シール部材
３２，３２Ａ  可動部
３３，３３Ａ  先端周部
３３ａ  突起部（保持手段）
【図１】
2011135847.tif 000003
【図２】
2011135847.tif 000004
【図３】
2011135847.tif 000005
【図４】
2011135847.tif 000006
【図５】
2011135847.tif 000007
【図６】
2011135847.tif 000008
【図７】
2011135847.tif 000009
【図８】
2011135847.tif 000010